(57)【要約】      （修正有）【課題】枠体への網戸取り付けに有利であり、枠体からの網戸の脱落を効果的に防止することができる、網戸脱落防止装置を提供する。【解決手段】網戸脱落防止装置は、座体１０と、ストッパー２０と、位置規制部材３０と、弾性部材４０と、固定部材５０とを含み、座体が網戸の底部に設置され、ストッパーが枠体２の底部軌道に凸設され、位置規制部材が軸心３１により座体に枢設され、位置規制部材が網戸の底辺に平行なとき、位置規制部材とストッパーが相互に位置規制し合い、座体を枠体の底部軌道に位置規制する。弾性部材は位置規制部材と座体の間に設置され、位置規制部材を網戸に相対して弾性的に作動させる。固定部材は座体に弾性的に設置され、底部軌道に近く、位置規制部材を可動的に固定する。【選択図】図１
0003211623.tif 000002
【実用新案登録請求の範囲】
【請求項１】
枠体からの網戸の脱落を防止するために用いる網戸脱落防止装置であって、前記網戸脱落防止装置が、座体と、ストッパーと、位置規制部材と、弾性部材と、固定部材と、を含み、
前記座体が前記網戸の底部に設置され、
前記ストッパーが、前記枠体の底部軌道に凸設され、
前記位置規制部材が、軸心により前記座体に枢設され、前記位置規制部材が前記網戸の底辺に平行なとき、前記位置規制部材と前記ストッパーが相互に位置規制し合い、前記座体を前記枠体の底部軌道に位置規制し、
前記弾性部材が、前記位置規制部材と前記座体の間に設置され、前記位置規制部材を前記座体に相対して弾性的に作動させ、
前記固定部材が、前記座体に弾性的に設置され、かつ前記底部軌道に近く、前記位置規制部材を可動的に固定する、
ことを特徴とする、網戸脱落防止装置。
【請求項２】
前記位置規制部材の軸心が、前記枠体に相対する前記網戸の移動方向に垂直であることを特徴とする、請求項１に記載の網戸脱落防止装置。
【請求項３】
前記固定部材の移動方向が、前記枠体に相対する前記網戸の移動方向に平行であることを特徴とする、請求項２に記載の網戸脱落防止装置。
【請求項４】
前記固定部材の移動方向が、前記枠体に相対する前記網戸の移動方向に平行であることを特徴とする、請求項１に記載の網戸脱落防止装置。
【考案の詳細な説明】
【技術分野】
【０００１】
本考案は網戸脱落防止装置に関し、より具体的には、枠体への網戸取り付けに有利であり、枠体からの網戸の脱落を効果的に防止する、網戸脱落防止装置に関する。
【背景技術】
【０００２】
従来の網戸は枠体に取り付けた後、製作時に生じる誤差のために、網戸が枠体に対して移動されたとき、うっかり枠体から離脱してしまうことがある。
【０００３】
このほか、網戸と枠体の製作時に誤差がない状況でも、網戸が枠体に対して移動されたとき、網戸を持ち上げる力が大きすぎると、網戸が枠体から離脱してしまうこともある。
【０００４】
このため、網戸を枠体に便利に取り付けると共に、取り付けた後も枠体からの網戸の脱落を効果的に防止できる装置をどのように創作するかが、本考案の積極的に開示する課題である。
【考案の概要】
【考案が解決しようとする課題】
【０００５】
上述の問題を解決するため、本考案の目的は、枠体への網戸取り付けに有利であり、枠体からの網戸の脱落を効果的に防止することができる、網戸脱落防止装置を提供することにある。
【課題を解決するための手段】
【０００６】
上述の目的及びその他目的を達するために、本考案の網戸脱落防止装置は、枠体からの網戸の脱落を防止するために用いられ、前記網戸脱落防止装置が、座体と、ストッパーと、位置規制部材と、弾性部材と、固定部材とを含み、前記座体が前記網戸の底部に設置され、前記ストッパーが前記枠体の底部軌道に凸設され、前記位置規制部材が軸心により前記座体に枢設され、前記位置規制部材が前記網戸の底辺に平行なとき、前記位置規制部材と前記ストッパーが相互に位置規制し合い、前記座体を前記枠体の底部軌道に位置規制し、前記弾性部材が前記位置規制部材と前記座体の間に設置され、前記位置規制部材を前記座体に相対して弾性的に作動させ、前記固定部材が前記座体に弾性的に設置され、かつ前記底部軌道に近く、前記位置規制部材を可動的に固定する。
【０００７】
上述の網戸脱落防止装置において、そのうち、前記位置規制部材の軸心が前記枠体に相対する前記網戸の移動方向に垂直である。
【０００８】
上述の網戸脱落防止装置において、そのうち、前記固定部材の移動方向が前記枠体に相対する前記網戸の移動方向に平行である。
【考案の効果】
【０００９】
上述をまとめると、本考案の網戸脱落防止装置は上述の構造配置によって、枠体への網戸取り付けに有利であり、かつ枠体からの網戸の脱落を効果的に防止することができる網戸脱落防止装置である。
【図面の簡単な説明】
【００１０】
【図１】本考案の網戸脱落防止装置の立体分解図である。
【図２】本考案の網戸脱落防止装置の網戸及び枠体への取り付けを示す立体図である。
【図３Ａ】本考案の網戸脱落防止装置の位置規制部材と固定部材の作動を示す概略図１である。
【図３Ｂ】本考案の網戸脱落防止装置の位置規制部材と固定部材の作動を示す概略図２である。
【図３Ｃ】本考案の網戸脱落防止装置の位置規制部材と固定部材の作動を示す概略図３である。
【図３Ｄ】本考案の網戸脱落防止装置の位置規制部材と固定部材の作動を示す概略図４である。
【図４】図３Ａの断面図である。
【図５】図３Ｃの断面図である。
【考案を実施するための形態】
【００１１】
本考案の目的、特徴、効果について充分に理解できるように、以下で具体的な実施例に添付の図面を組み合わせ、本考案について詳細に説明する。
【００１２】
図１と図２の本考案の網戸脱落防止装置１００の網戸１及び枠体２への取り付けを示す立体図を参照する。前記網戸脱落防止装置１００は、前記枠体２からの前記網戸１の脱落を防止するために用いられる。前記網戸脱落防止装置１００は、座体１０、ストッパー２０、位置規制部材３０、弾性部材４０、固定部材５０を含む。
【００１３】
前記座体１０は前記網戸１の底部に設置される。前記ストッパー２０は前記枠体２の底部軌道に凸設される。前記位置規制部材３０は軸心３１により前記座体１０に枢設され、前記位置規制部材３０が前記網戸１の底部に平行なとき、前記位置規制部材３０と前記ストッパー２０が相互に位置規制し合い、図５に示すように、前記座体１０を前記枠体２の底部軌道に位置規制する。前記弾性部材４０は前記位置規制部材３０と前記座体１０の間に設置され、前記位置規制部材３０を前記座体１０に相対して弾性的に作動させる。前記固定部材５０は前記座体１０に弾性的に設置され、かつ前記枠体２の底部軌道に近く、前記位置規制部材３０を可動的に固定する。
【００１４】
より具体的に、同時に図２から図５を参照しながら、以下で前記網戸脱落防止装置１００がどのように前記枠体２からの前記網戸１の脱落を防止するかを説明するとともに、前記網戸１の前記枠体２への取り付けにどのように有利であるかも説明する。
【００１５】
まず、図２及び図３Ａを参照する。前記位置規制部材３０が前記網戸１の底部に平行でないときは、前記固定部材５０が前記位置規制部材３０を固定せず、前記枠体２の底部軌道への前記網戸１の取り付けに有利である。理解する必要があるのは、前記弾性部材４０が弾力を提供し、前記位置規制部材３０が施力されていないとき、前記網戸１に平行でない状態を保たせる点である。そのうち、前記ストッパー２０と前記位置規制部材３０の状態は図４に示すとおりである。
【００１６】
続いて、図３Ｂを参照する。前記位置規制部材３０に対して力を加え、前記位置規制部材３０を図中の回転矢印の方向に回転させ、前記位置規制部材３０が前記固定部材５０を圧迫すると、前記固定部材５０が矢印の方向に沿って移動され、かつ前記固定部材５０に連接されたばねに圧縮力が生じる。
【００１７】
続いて、図３Ｃを参照する。前記位置規制部材３０に前記力を継続して加え、前記位置規制部材３０を前記網戸１に水平にすると、前記固定部材５０に連接されたばねが前記圧縮力を解放し、前記固定部材５０が図３Ａの状態を回復するとともに、前記位置規制部材３０を固定する。そのうち、前記ストッパー２０と前記位置規制部材３０の状態は図５に示すとおりである。これにより、前記座体１０を前記枠体２の底部軌道に位置規制し、前記枠体２からの前記網戸１の脱落を効果的に防止することができる。
【００１８】
続いて、図３Ｄを参照する。前記網戸１を前記枠体２から外したいときは、前記固定部材５０を図３Ｄの矢印の方向に沿って移動させると、前記位置規制部材３０が前記弾性部材４０の提供する弾力により押し戻され、前記位置規制部材３０が図３Ａの状態を回復する。このとき、前記座体１０は前記枠体２の底部軌道に位置規制されなくなり、前記網戸１を前記枠体２から有利に外すことができる。
【００１９】
このほか、理解すべきは、前記位置規制部材３０の軸心３１が前記枠体２に相対する前記網戸１の移動方向に垂直なとき、前記位置規制部材３０の作動により有利であり、さらに、前記固定部材５０の移動方向が前記枠体２に相対する前記網戸１の移動方向に平行なとき、前記固定部材５０の作動をより有利に制御できる点である。
【００２０】
上述をまとめると、本考案の網戸脱落防止装置は上述の構造配置によって、枠体への網戸取り付けに有利であり、かつ枠体からの網戸の脱落を効果的に防止することができる網戸脱落防止装置である。
【００２１】
本考案は上述で最良の実施例を開示したが、当業者であれば理解できるように、この実施例は単に本考案を説明するために用いたのみであり、本考案の範囲を限定すると理解されるべきではない。注意すべきは、この実施例と同等効果を有する変化および置換はすべて、本考案の範疇内に含まれることである。このため、本考案の保護範囲は、特許請求の範囲の定義に準じる。
【符号の説明】
【００２２】
１    網戸
１０    座体
２      枠体
２０    ストッパー
３０    位置規制部材
３１    軸心
４０    弾性部材
５０    固定部材
１００    網戸脱落防止装置
【図１】
0003211623.tif 000003
【図２】
0003211623.tif 000004
【図３Ａ】
0003211623.tif 000005
【図３Ｂ】
0003211623.tif 000006
【図３Ｃ】
0003211623.tif 000007
【図３Ｄ】
0003211623.tif 000008
【図４】
0003211623.tif 000009
【図５】
0003211623.tif 000010